(57)【特許請求の範囲】
【請求項１】
支脚と筆記脚とこれを開閉可能に連結する枢結部から構成されるコンパスの支脚支持台を、
裏面に滑り止めを配して中心点を描いた、透明素材からなる円盤状の平板の中央に、平板の径より小さい径を有する透明素材からなるド−ムを形成し、上部を円形に開放したド−ム形蓋で覆い、
支脚支持台の蓋の円形開口部の径より大きい径を有し、ド−ムの周縁に添うように弯曲形成した円形可動部を支脚先端に一体的に形成し、これを支脚支持台のド−ムと蓋との間隙に摺動可能に嵌合したことを特徴とする作図用コンパス。
【発明の詳細な説明】
【０００１】
【発明の属する技術分野】
本発明は作図用コンパスに関し、特にその中心針による用紙の損傷や手指の刺し傷の危険を取り除く手段に関する。
【０００２】
【従来の技術】
従来の作図用コンパスは円を描く支点として中心針を使用するため、その針により用紙に穴が開き、何度も支点を差し替えると穴の数が増えたり穴が拡大し、用紙の損傷が激しい。又、支点のずれを起こすことも多い。さらにコンパスの取扱中にその針で手指を指すおそれもあった。このような短所を解決するため従来の作図用コンパスではコンパスの針脚に筒状部を設けて中心針を保持させた保持杆を筒状部に摺動可能に格納している（例えば特許文献１参照）。
【０００３】
又、筆記具差し込み口つきブロックと連結支持材固定ブロックを取り付けた連結支持材を目盛付き回転円板の中心部へ嵌合し、更に、回動自在に受け台に嵌め込んでなる平板型のコンパスがある。（例えば実用新案文献１参照。）
【０００４】
【特許文献１】
特開平１１−３１４４９６号公報
【０００５】
【実用新案文献１】
実開平７−２１３９４号公報
【０００６】
【発明が解決しようとする課題】
特開平１１−３１４４９６号の発明はコンパス不使用時には中心針を針脚に格納し、針による手指の刺傷を防ぐには有効であるが、依然として針を支点として使用するため用紙に針の刺し跡が残り、針のずれも生じる。
【０００７】
実開平７−２１３９４号の円盤状の平板型コンパスは中心針がないため針に起因する問題は生じないが、コンパス自体の嵩が高く携行性に欠けるため筆記用具と共に収納、携行しづらい。
【０００８】
そこで本発明ではこれらの点を改善し、さらに携行性に優れたコンパスを提供することを目的とする。
【０００９】
【課題を解決するための手段】
請求項１記載のコンパスは支脚と筆記脚とこれを開閉可能に連結する枢結部から構成される。支脚先端に取り付ける支脚支持台は、裏面に滑り止めを配して中心点を描いた、透明素材からなる円盤状の平板の中央に、平板の径より小さい径を有する透明素材からなるド−ムを形成し、上部を円形に開放したド−ム型蓋で覆って形成する。次に支脚支持台の蓋の円形開口部の径より大きい径を有し、ド−ムの周縁に添うように弯曲形成した円形可動部を支脚先端に一体的に形成し、これを支脚支持台のド−ムと蓋との間隙に摺動可能に嵌合するのである。
【００１２】
【発明の実施の形態】
請求項１記載の作図用コンパスの最適な実施形態について図面を参照しながら説明する。
【００１３】
図１は本発明に係るコンパス１を開脚した状態を示す正面図である。
【００１４】
コンパス１は支脚２と筆記脚３とこれを開閉可能に連結する枢結部４から構成される。筆記脚３の先端に筆記具７を保持する筆記具保持杆５を取り付け、筆記具保持杆締結部材６を締結あるいは開放して筆記具７を取り外し可能とする。
【００１５】
図２は本発明の特徴である支脚支持台８の先端拡大断面図である。図３は同、裏面図である。
【００１６】
支脚支持台８は裏面周縁部にゴム又は布製の滑り止め１１を貼着した透明素材（プラスチック、合成樹脂等）から成る円盤状の平板１４の中央部に、当該円盤８の径よりやや小さめの径を有する透明素材からなるド−ム９を形成し、上部１０ａを円形に開放したド−ム型蓋１０で覆うのである。
【００１７】
次に、支脚２の先端に形成する透明な円形可動部は蓋１０の円形開口部１０ａの径よりやや大きめの径を有し、ド−ム９の周縁に添うように弯曲形成する。
【００１８】
支脚支持台８の透明ド−ム９に円形可動部１３を被せた後、蓋１０を被せ、円形可動部中央の凹部１３ａに支脚２の先端部２ａを嵌合するのである。支脚２と円形可動部１３は一体成形することも可能である。
【００１９】
円形可動部１３は支脚支持台８からはずれることなく、蓋１０とド−ム９との間を摺動し、円形可動部１３と共に支脚２も全方向に傾動するのである。
【００２０】
円盤状平板１４には位置決めの目安となる中心点１２を描いておく。
【００２１】
次に請求項１記載のコンパスの他の実施形態について説明する。図４は携行容易に折り畳み可能としたコンパス１４を開脚した状態を示す正面図、図５は折り畳んだ状態を示す正面図である。
【００２２】
コンパス１４は支脚１５と筆記脚１６及び、これを開閉可能に連結する枢結部１７からなる。支脚１５及び筆記脚１６は内部にそれぞれの折り畳み部を格納できるように断面において、中央に向けて開放したコ字形に形成されている。
【００２３】
支脚１５の先端には連結部材２０で折り畳み支脚１８を回動可能に連結し、筆記脚１６の先端には連結部材２１で折り畳み筆記部１９を回動可能に連結する。折り畳み支脚１８の先端には支脚支持台２２を形成する。
【００２４】
支脚支持台２２は裏面周縁部にゴム又は布製の滑り止めを貼着した透明素材から成る円盤状の平板であって中央部に、当該円盤の径よりやや小さめの径を有する透明素材からなるド−ムを形成する。更にこれを上部を円形に開放したド−ム型蓋で覆うのである。
【００２５】
折り畳み支脚１８の先端に形成する透明な円形可動部は蓋の円形開口部の径よりやや大きめの径を有し、ド−ムの周縁に添うように弯曲形成されている。
【００２６】
円盤状平板の中央に形成した透明ド−ムに円形可動部を被せた後、蓋を被せ、円形可動部中央の凹部に折り畳み支脚１８の先端部を嵌合するのである。
【００２７】
円形可動部は支脚支持台からはずれることなく、蓋とド−ムとの隙間を摺動し、円形可動部と共に折り畳み支脚１８及び支脚１５も全方向に傾動するのである。
【００２８】
折り畳み支脚１８の上部一端に凸部１８ａを形成し、折り畳み支脚１８を取り出し、使用時には当該凸部１８ａが支脚１５の背に当接して係止し、折り畳み支脚１８の回動を制限するのである。同様に折り畳み筆記部１９の上部先端に凸部１９ａを形成し、筆記部１９を取り出し、使用時には当該凸部１９ａが筆記脚１６の背に当接して係止し、折り畳み筆記部１９の回動を制限するのである。
【００２９】
支脚１５及び筆記脚１６の上部を切欠し、折り畳み支脚１８を折り畳んだ際、支脚支持台２２を格納する。
【００３０】
【発明の効果】
作図の支点を決めるのに針を使用しないため、用紙に穴を開けることがなく用紙が傷まず、又、この針による手指の刺傷も生じない。又、裏面に滑り止めを施してあるため支点がずれることがない。
【図面の簡単な説明】
【図１】  請求項１に係るコンパスを開脚した状態を示す正面図。
【図２】  同、コンパスの支脚支持台の拡大断面図。
【図３】  同、裏面図。
【図４】折り畳み可能に形成した請求項１記載のコンパスが開脚した状態を示す正面図。
【図５】  同、折り畳んだ状態を示す正面図。
【符号の説明】
１、１４、作図用コンパス    ２、１５、支脚    ３、１６、筆記脚    ４、１７、枢結部    ８、２２、支脚支持台    １４、円盤状平板    ９、透明ド−ム
１０、蓋    １０ａ、蓋の開後部    １３、支脚回動部    １１、滑り止め
１８、折り畳み支脚    １９、折り畳み筆記部    ２０、２１、連結部材
【図１】
0003729497.tif 000002
【図２】
0003729497.tif 000003
【図３】
0003729497.tif 000004
【図４】
0003729497.tif 000005
【図５】
0003729497.tif 000006